(57)【要約】【課題】本発明は、視聴中のチャンネルの受信品質の維持を図りつつ、受信チャンネルを切り替えた後にデータ放送を表示するまでに要する時間を短縮することができる車両用放送受信装置及び車両用放送受信方法の提供を目的とする。【解決手段】デジタル放送の受信用にそれぞれチューナと復調部を有する２つのフロントエンド１０，２０と、フロントエンド１０，２０を用いて受信したチャンネルのデータ放送に含まれる情報を記憶する記憶手段とを有する車両用放送受信装置であって、フロントエンド１０，２０を用いて受信したデジタル放送の受信状況の良否を判断するマイコン１００と、２つのフロントエンドのうち少なくとも一つを、受信状況が良好と判断された受信チャンネルと異なるチャンネルのデータ放送を受信するものに割り当てる切替制御部８０と、を備えることを特徴とする、車両用放送受信装置。【選択図】図１
2008034969.tif 000002
【特許請求の範囲】
【請求項１】
デジタル放送を受信する複数の受信手段と、
前記受信手段を用いて受信したチャンネルのデータ放送に含まれる情報を記憶する記憶手段とを有する車両用放送受信装置であって、
前記複数の受信手段を用いて受信したデジタル放送の受信状況の良否を判断する判断手段と、
前記複数の受信手段のうち少なくとも一つを、前記判断手段によって前記受信状況が良好と判断された受信チャンネルと異なるチャンネルのデータ放送を受信する受信手段に割り当てる切替手段と、を備えることを特徴とする、車両用放送受信装置。
【請求項２】
車両の位置情報を取得する位置情報取得手段を備え、
前記受信手段は、前記位置情報取得手段によって取得した位置情報に対応する地点において提供されるチャンネルの中から前記異なるチャンネルを選択する、請求項１に記載の車両用放送受信装置。
【請求項３】
前記受信手段は、ユーザの各チャンネルの受信履歴に基づいて前記異なるチャンネルを選択する、１または２に記載の車両用放送受信装置。
【請求項４】
前記判断手段は、デジタル放送のエラー情報に基づいて前記受信状況の良否を判断し、エラーの度合が所定値以下の場合に前記受信状況が良好と判断する、請求項１から３のいずれかに記載の車両用放送受信装置。
【請求項５】
前記判断手段は、車速に基づいて前記受信状況の良否を判断し、所定の車速以下の場合に前記受信状況が良好と判断する、請求項１から３のいずれかに記載の車両用放送受信装置。
【請求項６】
デジタル放送を複数の受信手段を用いて受信し、受信チャンネルのデータ放送に含まれる情報を記憶手段に記憶する、車両用放送受信方法であって、
前記受信手段を用いて受信したデジタル放送の受信状況の良否を判断するステップと、
前記複数の受信手段のうち少なくとも一つを、前記受信状況が良好と判断された受信チャンネルと異なるチャンネルのデータ放送を受信する受信手段に割り当てるステップと、を備えることを特徴とする、車両用放送受信方法。
【発明の詳細な説明】
【技術分野】
【０００１】
本発明は、車両用放送受信装置及び車両用放送受信方法に関し、より詳細には、デジタル放送を受信する車両用の放送受信技術に関する。
【背景技術】
【０００２】
チューナと復調部からなるフロントエンドを複数有する放送受信装置が知られている（例えば、特許文献１参照）。この放送受信装置は、スキャニングの対象となる周波数帯をフロントエンドの数で分割して、各分割周波数帯をそれらの複数のフロントエンドで並列スキャンニング処理させることにより、全放送局の選局情報データおよび番組情報データを取得し、スキャニング時間の短縮を図るものである。
【特許文献１】特開２００３−３３３４４１号公報
【発明の開示】
【発明が解決しようとする課題】
【０００３】
ところで、デジタル放送を受信する受信装置は、現在受信しているチャンネルのデータ放送をユーザが見ていない場合でもユーザからの要求があれば遅滞なくそのデータ放送を表示させることができるように、現在受信しているチャンネルのデータ放送をユーザがそのチャンネルのテレビ映像を見ている裏でメモリに蓄積している。
【０００４】
しかしながら、ユーザがチャンネルを変更した直後ではメモリにはその変更後のチャンネルのデータ放送がほとんど蓄積されていないため、ユーザがチャンネルを変更直後にその変更後のチャンネルのデータ放送を見ようとしてもその表示が遅れてしまうおそれがある。
【０００５】
この点、上述の従来技術では、チューナと復調部からなるフロントエンドを複数備え、デジタル放送の受信の対象となる周波数帯を複数に分割することによって、複数のチャンネルのデジタル放送の受信を並列処理することを可能としているものの、デジタル放送を受信する受信装置を車両に搭載する場合、車両の移動によって受信状況が変化するため、受信状況が良好ではない場所で現在視聴していないチャンネルのデジタル放送を受信するためにフロントエンドを分割してしまうと、視聴中のチャンネルの受信品質が複数のフロントエンドで受信している場合に比べ劣ってしまうおそれがある。
【０００６】
そこで、本発明は、視聴中のチャンネルの受信品質の維持を図りつつ、受信チャンネルを切り替えた後にデータ放送を表示するまでに要する時間を短縮することができる、車両用放送受信装置及び車両用放送受信方法の提供を目的とする。
【課題を解決するための手段】
【０００７】
上記目的を達成するため、本発明の車両用放送受信装置は、
デジタル放送を受信する複数の受信手段と、
前記受信手段を用いて受信したチャンネルのデータ放送に含まれる情報を記憶する記憶手段とを有する車両用放送受信装置であって、
前記複数の受信手段を用いて受信したデジタル放送の受信状況の良否を判断する判断手段と、
前記複数の受信手段のうち少なくとも一つを、前記判断手段によって前記受信状況が良好と判断された受信チャンネルと異なるチャンネルのデータ放送を受信する受信手段に割り当てる切替手段と、を備えることを特徴とする。
【０００８】
すなわち、受信状況が良好と判断されたチャンネルを受信する受信手段の数を減らして、その減らした分を現受信チャンネルと異なるチャンネルのデータ放送の受信に割り当てることによって、その異なるチャンネルのデータ放送に含まれる情報が前記記憶手段に記憶できるようになるので、現視聴中のチャンネルの受信品質の維持を図りつつ、現受信チャンネルを切り替えた直後でも速やかにその切り替え後のチャンネルのデータ放送を表示することができる。
【０００９】
ここで、本発明に係る車両用放送受信装置は、車両の位置情報を取得する位置情報取得手段を備え、前記受信手段は、前記位置情報取得手段によって取得した位置情報に対応する地点において提供されるチャンネルの中から前記異なるチャンネルを選択すると好適である。また、前記受信手段は、ユーザの各チャンネルの受信履歴に基づいて前記異なるチャンネルを選択するようにしてもよい。
【００１０】
また、前記判断手段は、デジタル放送のエラー情報に基づいて前記受信状況の良否を判断し、エラーの度合が所定値以下の場合に前記受信状況が良好と判断すると好適である。デジタル放送のエラー情報には、リードソロモン符号（ＲＳ）のエラー率やビットエラーレート（ＢＥＲ）などがあり、このようなエラー情報を検知し利用することによって前記受信状況の良否判断がしやすくなる。
【００１１】
また、前記判断手段は、車速に基づいて前記受信状況の良否を判断し、所定の車速以下の場合に前記受信状況が良好と判断するようにしてもよい。移動可能な車両においてデジタル放送を受信する場合、中高速の走行状態に比べ受信しやすい低車速状態や停車状態のほうが、受信状況としては良好である。したがって、例えば、車速が低車速状態あるいは停車状態を示す所定の車速以下の場合に前記受信状況が良好と判断されるようにすることができる。
【００１２】
また、上記目的を達成するため、本発明の車両用放送受信方法は、
デジタル放送を複数の受信手段を用いて受信し、受信チャンネルのデータ放送に含まれる情報を記憶手段に記憶する、車両用放送受信方法であって、
前記受信手段を用いて受信したデジタル放送の受信状況の良否を判断するステップと、
前記複数の受信手段のうち少なくとも一つを、前記受信状況が良好と判断された受信チャンネルと異なるチャンネルのデータ放送を受信する受信手段に割り当てるステップと、を備えることを特徴とする。
【発明の効果】
【００１３】
本発明によれば、視聴中のチャンネルの受信品質の維持を図りつつ、受信チャンネルを切り替えた後にデータ放送を表示するまでに要する時間を短縮することができる。
【発明を実施するための最良の形態】
【００１４】
以下、図面を参照して、本発明を実施するための最良の形態の説明を行う。図１は、本発明に係る、デジタル放送を受信する車両用放送受信装置の一実施形態を示すブロック図である。地上デジタル放送の場合、ＵＨＦ帯（４７０ＭＨｚ〜７７０ＭＨｚ）のチャンネル（１３ｃｈ〜６２ｃｈ）を使用する。地上デジタル放送では一つの放送事業者が１周波数チャンネル約６ＭＨｚの帯域を使用し、各放送事業者がＴＳ（Transport  Stream）を構成する電波によって放送を行う。
【００１５】
デジタル放送を受信する本実施形態の車両用放送受信装置は、チューナと復調部をそれぞれ構成する複数のフロントエンドと呼ばれる受信手段を有する。本実施形態では、フロントエンド１０とフロントエンド２０の２系統のフロントエンドを有する。フロントエンド１０は第１チューナ１１と第１復調部１２を構成し、フロントエンド２０は第２チューナ２１と第２復調部２２を構成する。
【００１６】
各放送事業者が基幹放送所や中継放送所を介して送信した電波はアンテナ１３及び２３で受信され、そのデジタル放送信号は所望のチャンネルにチューニングする第１チューナ１１及び第２チューナ２１に入力される。第１チューナ１１及び第２チューナ２１に対するチャンネルの指定は、ユーザが受信チャンネルを選択操作可能なリモコンやタッチパネルディスプレイなどのユーザ入力装置１３０からの選択チャンネル情報に基づいて行われる。ユーザがユーザ入力装置１３０に対してチャンネルの選択操作を行うと、第１チューナ１１及び第２チューナ２１は、その選択操作されたチャンネルに対応する周波数にチューニングする。第１復調部１２及び第２復調部２２は、第１チューナ１１及び第２チューナ２１によってチューニングされたデジタル放送信号をＭＰＥＧ−ＴＳに復調する。
【００１７】
これらの２系統のフロントエンド１０及び２０によって、ダイバーシティ受信がなされる。すなわち、フロントエンド１０及び２０で受信したデジタル放送信号のうち受信レベルの大きい信号が選択されるか、あるいは、フロントエンド１０及び２０で受信したデジタル放送信号が同相合成されるかによって、デジタル放送信号がＭＰＥＧ−ＴＳに復調される。
【００１８】
ＭＰＥＧ−ＴＳは、１８８バイト固定長のＴＳパケットから構成される。ＭＰＥＧ−ＴＳは、第１ＴＳデコーダ３０によって、映像情報、音声情報、データ情報に分解される。
【００１９】
映像情報及び音声情報は、ＰＥＳ（Packetized  Elementary  Stream）というデータ形式になっている。ＰＥＳは、ヘッダ領域とデータ領域から構成される。ヘッダ領域には、ＰＥＳの始まりを示す識別コードと、データ領域の内容を識別するための識別コード（ＩＤ）と、データ領域の長さ情報が入っている。データ領域には、圧縮された映像データや音声データなどが入っている。
【００２０】
一方、データ情報は、セクション（Section）というデータ形式になっている。セクションは、ヘッダ領域、データ領域、誤り検出符号ＣＲＣ（Cycle  Redundancy  Check：巡回型冗長チェック符号）から構成される。ヘッダ領域には、データ領域内のセクションデータの種類を識別するための識別コードと、セクションデータ領域の長さ情報が入っている。
【００２１】
図４は、ＭＰＥＧ−ＴＳの構成を示す図である。図４に示されるように、１８４ｂｙｔｅ毎に分割されたＰＥＳ形式やセクション形式のデータに４ｂｙｔｅのＴＳヘッダが付与されることによって、１８８ｂｙｔｅのＴＳパケットが構成される。
【００２２】
図５は、デジタル放送の受信例を示す図である。チャンネル１（ｃｈ１）とチャンネル２（ｃｈ２）の２チャンネル分のデジタル放送の映像情報、音声情報及びデータ情報が１本のＭＰＥＧ−ＴＳに多重化されているとする。各チャンネルの映像情報は、ＰＥＳ化された後に１８８ｂｙｔｅ固定長のＴＳパケットに時間順に分割されている。例えば、チャンネル１の映像情報は、ｃｈ１−Ｖ１，ｃｈ１−Ｖ２，ｃｈ１−Ｖ３というようにパケット化され、チャンネル２の映像情報は、ｃｈ２−Ｖ１，ｃｈ２−Ｖ２，ｃｈ３−Ｖ３というようにパケット化されている。各チャンネルの音声情報も、映像情報と同様に、ＰＥＳ化された後に１８８ｂｙｔｅ固定長のＴＳパケットに時間順に分割されている（ｃｈ＊−Ａ１，ｃｈ＊−Ａ２，ｃｈ＊−Ａ３）。各チャンネルのデータ情報は、セクション化された後に１８８ｂｙｔｅ固定長のＴＳパケットに時間順に分割されている（ｃｈ＊−Ｄ１，ｃｈ＊−Ｄ２，ｃｈ＊−Ｄ３）。
【００２３】
第１ＴＳデコーダ３０は、図５に示されるようなＭＰＥＧ−ＴＳを取得した場合、映像情報等とともにＭＰＥＧ−ＴＳ信号に多重化されたセクション形式のＰＳＩ（Program  Specific  Information：番組特定情報）に基づいて、ＭＰＥＧ−ＴＳ信号から必要な情報を取り出す。すなわち、第１ＴＳデコーダ３０は、ＰＳＩ内の情報に基づいて、チャンネル１の映像情報を構成するパケットｃｈ１−Ｖ１，ｃｈ１−Ｖ２，ｃｈ１−Ｖ３を取り出し、チャンネル１の音声情報を構成するパケットｃｈ１−Ａ１，ｃｈ１−Ａ２，ｃｈ１−Ａ３を取り出し、チャンネル１のデータ情報を構成するパケットｃｈ１−Ｄ１，ｃｈ１−Ｄ２，ｃｈ１−Ｄ３を取り出す。
【００２４】
なお、ＰＳＩには、４種類あり、１つのチャンネルを構成する映像情報等のコンポーネントの情報を規定するＰＭＴ（Program  Map  Table）、放送中の全チャンネルの情報を規定するＮＩＴ（Network  Information  Table）、ＭＰＥＧ−ＴＳに含まれる全てのＰＭＴやＮＩＴを識別するためのＰＩＤ（Packet  Identifier）を規定するＰＡＴ（Program  Association  Table）、有料放送などの限定受信の情報を規定するＣＡＴ（Conditional  Access  Table）がある。
【００２５】
また、図５に示されるように、ＭＰＥＧ−ＴＳ信号にはセクション形式のＳＩ（Service  Information：番組配列情報）が多重化されている。ＳＩには、その放送局ではどのような番組が放送されているのか、今後の放送予定は何か等の電子番組表（ＥＰＧ）を作成するのに必要な情報が規定されている。
【００２６】
第１ＴＳデコーダ３０によって取り出された各チャンネルの映像情報や音声情報を構成するパケットｃｈ＊−Ｖ＊やｃｈ＊−Ａ＊は、ＡＶデコーダ４０で処理されることによって、チャンネル１のテレビ映像や音声が出力され得る。ＡＶデコーダ４０は、映像情報や音声情報をデコードする。ＡＶデコーダ４０は、映像／画像合成部５０を介して、デコードし映像信号を映像出力部７０に出力する。また、ＡＶデコーダ４０は、デコードした音声信号を音声出力部６０に出力する。また、第１ＴＳデコーダ３０によって取り出されたパケットｃｈ＊−Ｄに含まれるチャンネルのデータ情報は、メモリ１１０にチャンネル毎に格納される。
【００２７】
したがって、ユーザがユーザ入力装置１３０を介して視聴したいチャンネルを指定した場合には、その指定されたチャンネル情報を受信したマイコン１００は、その指定されたチャンネルに対応するＰＳＩを第１ＴＳデコーダ３０に伝送する。第１ＴＳデコーダ３０は、そのＰＳＩに基づいて、ユーザが視聴したいチャンネルの映像情報と音声情報を構成するパケットを取り出して、ＡＶデコーダ４０に出力する。これにより、ユーザは、映像出力部７０や音声出力部６０を介して、所望のチャンネルのテレビ番組の映像と音声を視聴することができるようになる。
【００２８】
また、ユーザ入力装置１３０のｄ（データ）ボタンの押下によって、ユーザは視聴中のチャンネルのテレビ番組のデータ放送（例えば、料理番組中のレシピやスポーツ番組中の選手情報）を見ることができる。ユーザ入力装置１３０を介して視聴中のチャンネルのデータ放送の表示指令を受信したマイコン１００は、その表示指令のチャンネルに対応するデータ放送のデータ情報をメモリ１１０から取り出すことによって、データ放送画面を作成し、映像／画像合成部５０によって映像信号に多重させる。これにより、ユーザは、映像出力部７０を介して、視聴中のチャンネルのデータ放送を見ることができることになる。
【００２９】
なお、映像出力部７０は、ユーザに対し視覚的な情報提供をする表示装置であって、ＴＦＴ−ＬＣＤ（薄膜トランジスタ方式液晶ディスプレイ）、自発光タイプのＥＬ（Electro  Luminescence）パネル、ＶＦＤ（蛍光表示管）及びヘッドアップディスプレイなどが挙げられる。音声出力部６０は、スピーカなどの音声出力装置を有し、ＡＶデコーダ４０のオーディオデコーダからの音声信号に基づいて音声出力するものである。
【００３０】
ところで、ユーザがチャンネルを変更した直後には、それまで受信したＭＰＥＧ−ＴＳ信号に変更後のチャンネルのデータ放送のパケットが含まれていない限り、変更後のチャンネルのデータ放送の情報はメモリ１１０にはほとんど格納されていない。したがって、ユーザがチャンネルを変更したとしても、変更後のチャンネルのデータ放送のパケットを含むＭＰＥＧ−ＴＳ信号を受信するまで、データ放送を表示させることができず、ユーザにとって不都合である。
【００３１】
そこで、本実施形態の車両用放送受信装置は、デジタル放送の受信状況が良好な場合には、フロントエンド１０及び２０のいずれかの受信１系統を他チャンネルのデータ放送の取得に割り当てることによって、視聴中のチャンネルの受信品質の維持を図りつつ、変更後のチャンネルのデータ放送を速やかに表示させることができるようにする。
【００３２】
デジタル放送の受信良否を判断するため、本実施形態の車両用放送受信装置のマイコン１００は、アンテナ１３及び２３が受信したデジタル放送電波のデジタル放送信号の受信レベル（受信状態）を検出する。デジタル放送信号の受信レベルは、受信したデジタル放送電波の電界強度の大きさを表す。例えば、ＡＧＣ信号（自動利得制御信号）やデジタル放送信号自体の第１チューナ１１などへの入力電圧を利用することによって、デジタル放送信号の受信レベルの検出が可能である。マイコン１００は、受信レベルが所定値以上の場合に、デジタル放送の受信状況が良好であると判断する。
【００３３】
また、マイコン１００は、リードソロモンなどのパケットエラー情報に基づいて、デジタル放送信号の受信状態を検出してもよい。例えば、フロントエンド１０または２０は、受信したデジタル放送信号のエラー有無のフラグをＴＳパケットに付与する。デジタル放送信号のエラー発生率が所定値以上の場合にエラー有りのフラグが付与される。マイコン１０は、エラー有りのフラグがない場合に、デジタル放送の受信状況が良好であると判断する。また、天気がよく降雨減衰が少ない状態で設定されるＴＣ８ＰＳＫ（Trellis  coded  8  Phase  Shift  Keying）や降雨によって降雨減衰が大きい状態で設定されるＢＰＳＫ（Binary  Phase  Shift  Keying）などの階層変調の状態をデジタル放送の受信装置に伝えるＴＭＣＣ（Transmission  and  Multiplexing  Configuration  Control）信号に基づいてデジタル放送の受信状況の良否を判断してもよい。ＴＭＣＣ信号は、ＴＳ信号に付加されているものである。
【００３４】
デジタル放送信号の受信状況が良好と判断された場合、切替制御部８０は、フロントエンド２０を他チャンネルのデータ放送の取得に割り当てるため、フロントエンド２０の出力先を第１ＴＳデコーダ３０から第２ＴＳデコーダ９０に切り替える。第２ＴＳデコーダ９０は、フロントエンド２０が受信したＭＰＥＧ−ＴＳ信号から、第１ＴＳデコータ９０が受信中のチャンネルと異なるチャンネルのデータ情報を構成するパケットｃｈ＊−Ｄ＊を取り出す。第２ＴＳデコーダ９０によって取り出されたパケットｃｈ＊−Ｄに含まれるチャンネルのデータ情報は、メモリ１１０にチャンネル毎に格納される。切替制御部８０は、フロントエンド２０と第１ＴＳデコーダ３０を接続する接点８１とフロントエンド２０と第２ＴＳデコーダ９０を接続する接点８２を備え、マイコン１００の受信状況の良否判定結果に基づいて両接点を選択的に切り替える。
ここで、メモリ１１０の記憶領域を有効活用するため、データ放送のデータ情報は、所定の格納順序に従って、メモリ１１０に格納されるようにするとよい。例えば、マイコン１００は、ユーザが頻繁に使用するチャンネルやデータ放送の階層レベルの受信履歴を記憶・学習し、学習結果に応じて使用頻度の高いチャンネルのデータ放送のデータ情報ほど優先的に格納されるように、データ情報の格納順序を決定する。ユーザの使用頻度に合わせて優先順位をつけて格納することによって、チャンネル切り替え時のデータ放送の表示遅延によるユーザの不快感が起きる確率を抑えることができる。
【００３５】
また、デジタル放送の受信良否を判断するにあたり、車載ＥＣＵ１４０が有する情報を利用する。車載ＥＣＵ１４０は、ＧＰＳ装置によって検出される車両位置データに基づいて、自車の位置情報を特定する装置である。ＧＰＳ装置は、ＧＰＳ受信機によるＧＰＳ衛星からの受信情報に基づいて、自身を搭載する車両の位置を２次元若しくは３次元の座標データによって特定する装置である。マイコン１００は、車載ＥＣＵ１４０から自車位置情報を取得することによって自車の存在地点を認識することができる。また、車載ＥＣＵ１４０は、車輪速センサなどによって検出された自車の車速情報を有している。マイコン１００は、車載ＥＣＵ１４０から自車の車速情報（車速パルスなど）を取得することによって自車の車速を認識することができる。
【００３６】
それでは、本発明に係る車両用放送受信装置の実施形態の動作について説明する。図２は、本発明に係る車両用放送受信装置の実施形態の第１の動作例である。通常の受信状態では、フロントエンド１０及び２０の２つの受信系統を用いてダイバーシティ受信によりデジタル放送が受信されている（ステップ１０）。フロントエンド１０及び２０の２つの受信系統で受信された受信チャンネルのデジタル放送のデータ情報は、第１ＴＳデコーダ３０によってメモリ１１０に格納される（ステップ２０）。
【００３７】
マイコン１００は、パケットエラー情報や車載ＥＣＵ１４０から取得した車速情報などに基づいて、デジタル放送の受信状況か良好か否かを判断する（ステップ３０）。マイコン１００は、デジタル放送信号の電界強度が受信品質を良好と判定できる所定の電界強度以上の値である場合には（または、ＢＥＲやＲＳエラー率が所定値以下である場合には）、受信状況が良好と判定する。あるいは、自車の車速情報が、停車もしくは低速状態を示す所定の車速以下の値である場合には、受信状況が良好と判定する。停車若しくは低速状態の場合には中高速で走行する状態の場合に比べ低い受信電力で済むため、停車若しくは低速状態の場合には、受信が容易であるとして、受信状況が良好とみなすことができるからである。
【００３８】
受信状況が良好ではないと判定された場合には（ステップ３０；Ｎｏ）、ステップ１０に戻り、フロントエンド１０及び２０の２つの受信系統を用いてダイバーシティ受信によりデジタル放送の受信が継続される。一方、受信状況が良好と判定された場合には（ステップ３０；Ｙｅｓ）、ステップ４０に移行する。
【００３９】
ステップ４０では、受信２系統を用いて受信していた場合と同一のチャンネルのデジタル放送の受信をフロントエンド１０の受信１系統を用いて継続する一方で、切替制御部８０によってフロントエンド２０の出力先を第２ＴＳデコータ９０に切り替えて、フロントエンド１０による受信チャンネルと異なる他チャンネルのデータ放送の受信をフロントエンド２０の受信１系統を用いて開始する。
【００４０】
フロントエンド２０の受信１系統を用いて他チャンネルのデータ放送の受信が開始されると、フロントエンド２０側で受信した他チャンネルのデータ放送のデータ情報がメモリ１１０に格納される（ステップ５０）。この際、フロントエンド１０側で受信したチャンネルのデータ放送のデータ情報も同様にメモリ１１０に格納されてもよい。
【００４１】
したがって、図２に示される第１の動作例によれば、デジタル放送の受信状況が良好である場合には、受信２系統でダイバーシティ受信をするまでもないとして、一方の受信系統で受信中のチャンネルのデジタル放送の受信を継続し、もう一方の受信系統で他チャンネルのデータ放送の受信を開始する。これにより、ユーザが受信チャンネルを変更して変更後のチャンネルのデータ放送を表示させようとした場合であっても、受信状況が良好である限り、既にメモリ１１０に変更後のチャンネルのデータ放送が記憶されているので、変更後のチャンネルのデータ放送の表示が遅れることを防止することができる。
【００４２】
なお、もちろん、デジタル放送の受信を２系統から１系統に切り替えることによって受信中のチャンネルの受信品質が著しく低下しないように、受信状況の良否を判定するための閾値（上述の所定の電界強度や所定の車速など）は、受信１系統でも受信中のチャンネルの受信品質が一定の基準を満足できる値に設定する。
【００４３】
図３は、本発明に係る車両用放送受信装置の実施形態の第２の動作例である。図３は、図２に示した第１の動作例に対し、ステップ３０とステップ４０の間にステップ３５を設けたものである。図３において、図２の説明と同様の部分については、その説明を省略及び簡略する。
【００４４】
ステップ３０において、受信状況が良好と判定したマイコン１００は、車載ＥＣＵ１４０によって特定された自車の現在の存在地点において受信可能なチャンネルのデータ放送のデータ情報が全てメモリ１１０に格納されているか否かを判断する（ステップ３５）。地域毎に受信可能なチャンネルを規定したテーブルを予めメモリ等に記憶しておき、車載ＥＣＵ１４によって特定された自車の現在地点とそのテーブルとを対比することによって、自車の現在地点において受信可能なチャンネルのデータ放送が割り出される。
【００４５】
自車の現在の存在地点において受信可能なチャンネルのデータ放送のデータ情報が全てメモリ１１０に格納されていると判断された場合には（ステップ３５；Ｎｏ）、ステップ１０に戻り、フロントエンド１０及び２０の２つの受信系統を用いてダイバーシティ受信によりデジタル放送の受信が継続される。一方、全てメモリ１１０に格納されていないと判断された場合には（ステップ３５；Ｙｅｓ）、ステップ４０に移行する。ステップ４０以降は、図２の動作例と同様である。
【００４６】
したがって、図３に示される第２の動作例によれば、図２に示される第１の動作例と同様に、ユーザが受信チャンネルを変更して変更後のチャンネルのデータ放送を表示させようとした場合であっても、受信状況が良好である限り、既にメモリ１１０に変更後のチャンネルのデータ放送が記憶されているので、変更後のチャンネルのデータ放送の表示が遅れることを防止することができる。
【００４７】
また、第２の動作例では、ステップ３０において受信状況が良好と判定されていたとしても、その存在地点における受信可能なデータ放送に関するデータ情報が全てメモリ１１０に格納されているのなら、すぐには受信系統を２系統から１系統に変更することはない。その結果、切替制御部８０による切り替えに伴い生じる消費電流やマイコン１００の演算処理の増加等の負荷の増大を抑制することができる。
【００４８】
以上、本発明の好ましい実施例について詳説したが、本発明は、上述した実施例に制限されることはなく、本発明の範囲を逸脱することなく、上述した実施例に種々の変形及び置換を加えることができる。
【００４９】
例えば、図２及び図３に示されるフローのステップ３０以降の動作は、所定の条件が成立した場合に開始するようにしてもよい。好ましくは、データ放送の内容更新が検出された場合にステップ３０以降の動作を開始する。データ放送の内容更新を検出するためには、ＭＰＥＧ−ＴＳパケットに含まれるＤＤＢ（Download  Data  Block。データのインデックスを規定）やＤＩＩ（Download  Info  Indication。データ本体）のdownloadId内の上位４bitに相当するdata_event_id（データ更新を識別するためＩＤ）の変更を検知すればよい。ＤＤＢは、データ情報をまとめたセクション構造のブロックである。ＤＩＩは、ＤＤＢの構成に関する情報を示す。すなわち、データ情報は、ＤＤＢというブロックに分割後にセクション化され、ＤＩＩが付加されることによって、ＴＳパケットとして送信可能となる。また、データ放送の内容更新を検出するために、ＤＩＩのmoduleVersion（モジュールバージョン）の値の変更を検知してもよい。また、単に、所定時間毎（データ放送内容が変更される可能性がある時間毎（例えば、１時間毎）、受信可能チャンネルが異なる隣りの放送エリアへの移動に十分な時間が経過する毎に）や所定距離走行毎にステップ３０以降の動作を開始するようにしてもよい。
【図面の簡単な説明】
【００５０】
【図１】本発明に係る、デジタル放送を受信する車両用放送受信装置の実施形態を示すブロック図である。
【図２】本発明に係る車両用放送受信装置の実施形態の第１の動作例である。
【図３】本発明に係る車両用放送受信装置の実施形態の第２の動作例である。
【図４】ＭＰＥＧ−ＴＳの構成を示す図である。
【図５】デジタル放送の受信例を示す図である。
【符号の説明】
【００５１】
１０，２０  フロントエンド
１１，１２  チューナ
１２，２２  復調部
３０，９０  ＴＳデコーダ
４０  ＡＶデコーダ
５０  映像／画像合成部
６０  音声出力部
７０  映像出力部
８０  切替制御部
１００  マイコン
１１０  メモリ
１２０  外部Ｉ／Ｆ（インターフェイス）
１３０  ユーザ入力装置
１４０  車載ＥＣＵ（Electronic  Control  Unit）
【図１】
2008034969.tif 000003
【図２】
2008034969.tif 000004
【図３】
2008034969.tif 000005
【図４】
2008034969.tif 000006
【図５】
2008034969.tif 000007